(57)【要約】【課題】複数のハンガーを安定的に収納することができ、また容易に取り出すことができるハンガーを提供する。【解決手段】固定位置に係止可能とされたフック部５と、フック部５の根元部に接続されて幅方向の一方に延在する第１肩部６と、フック部５の根元部に接続されて幅方向の他方に延在する第２肩部７と、第１肩部６の幅方向における第１端部６ａと第２肩部７の幅方向における第２端部７ａとを接続する接続部８とを備えている。根元部に設けられた根元吸着バンド３ａと、接続部８の第１端部６ａ側に設けられた第１吸着バンド３ｂと、接続部８の第２端部７ａ側に設けられた第２吸着バンド３ｃとを備えている。根元吸着バンド３ａ、第１吸着バンド３ｂ及び第２吸着バンド３ｃは、互いに脱着可能とされている。【選択図】図１
2020171542.tif 000002
【特許請求の範囲】
【請求項１】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能とされているハンガー。
【請求項２】
前記根元吸着部、前記第１吸着部及び前記第２吸着部は、それぞれ、磁石を備えている請求項１に記載のハンガー。
【請求項３】
前記根元吸着部、前記第１吸着部及び前記第２吸着部は、それぞれ、
可撓性を有するとともに中央に折り返し部を有する本体部と、
前記本体部の両端に設けられ、前記折り返し部で折り返して該両端が重なったときに互いに吸着する前記磁石と、
を備えている請求項２に記載のハンガー。
【請求項４】
前記接続部には、該接続部の長手方向にわたって設けられた滑り防止部材が設けられている請求項１から３のいずれかに記載のハンガー。
【請求項５】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能に磁石を備えているハンガーの使用方法であって、
一の前記ハンガーと他の前記ハンガーを形状が重なるように対向させて、前記根元吸着部同士、前記第１吸着部同士及び前記第２吸着部同士の間で前記磁石の引力が生じるように配置するハンガーの使用方法。
【請求項６】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能に磁石を備えているハンガーの使用方法であって、
一の前記ハンガーと他の前記ハンガーを形状が重なるように対向させて、前記根元吸着部同士、前記第１吸着部同士及び前記第２吸着部同士が互いに前記磁石の斥力が生じるように配置するハンガーの使用方法。
【請求項７】
固定位置に係止可能とされたフック部を有するハンガー本体と、
前記ハンガー本体に対して脱着可能とされた吸着部と、
を備え、
前記吸着部は、
可撓性を有するとともに中央に折り返し部を有する本体部と、
前記本体部の両端に設けられ、前記折り返し部で折り返して該両端が重なったときに吸着する磁石と、
を備えているハンガーの使用方法であって、
前記両端の間に衣類を挟んだ状態で前記磁石を吸着させるハンガーの使用方法。
【請求項８】
固定位置に係止可能とされたフック部を有するハンガー本体と、
前記ハンガー本体に対して脱着可能とされた吸着部と、
を備え、
前記吸着部は、
可撓性を有するとともに中央に折り返し部を有する本体部と、
前記本体部の両端に設けられ、前記折り返し部で折り返して該両端が重なったときに吸着する磁石と、
を備えているハンガーの使用方法であって、
前記フック部を磁性体とされた棒部材に係止し、
前記棒部材と前記吸着部の前記折り返し部との間に前記フック部を位置させ、前記本体部を伸ばした状態で前記両端に設けられた前記磁石のそれぞれを前記棒部材に吸着させるハンガーの使用方法。
【発明の詳細な説明】
【技術分野】
【０００１】
本発明は、ハンガー及びその使用方法に関するものである。
【背景技術】
【０００２】
特許文献１には、ハンガーの幅方向における両端のそれぞれに磁石ユニットを埋め込んだハンガーが開示されている。２ヶ所に設けた磁石ユニットによって、２つのハンガーを重ねてジャケット等の比較的重い衣類にも使用できるようになっている。
【先行技術文献】
【特許文献】
【０００３】
【特許文献１】特開２０１６−２１４７０７号公報
【発明の概要】
【発明が解決しようとする課題】
【０００４】
しかし、特許文献１のハンガーは、ハンガーの幅方向における２ヶ所にしか磁石ユニットがないため、使用していない複数のハンガーを重ねて収納すると、２ヶ所の磁石ユニットを通る軸線を中心として回転してしまい容易に外れてしまうおそれがあり、複数のハンガーを束ねて安定的に保持することができない。また、複数のハンガーが収納された状態から１つのハンガーを取り出そうとすると、２ヶ所の磁石ユニットを通る軸線を中心としてハンガーが回転してしまうので残りのハンガーも外れてバラバラになってしまうおそれがある。
【０００５】
本発明は、このような事情に鑑みてなされたものであって、複数のハンガーを安定的に束ねて保持することができ、またハンガーを束ねた状態から容易に取り出すことができるハンガー及びその使用方法を提供することを目的とする。
【課題を解決するための手段】
【０００６】
本発明の一態様に係るハンガーは、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能とされている。
【０００７】
ハンガーのフック部の根元部と、接続部の第１端部側と、接続部の第２端部側との３ヶ所に吸着部を設けることとした。これにより、複数のハンガーを形状が重なるように対向させて収納するときに、各ハンガーの根元吸着部同士、第１吸着部同士及び第２吸着部同士の位置が一致して３点で位置が決まり、ハンガー同士が面内で位置決めされることになる。一方、仮に２点の吸着部でハンガーを互いに重ね合わせて設置すると、この２点を通る軸線を中心としてハンガーが互いに回転してしまい位置が定まらない。したがって、本発明のハンガーは３点の吸着部を有することにより、ハンガーが互いに回転することなく安定的に位置決めした状態で束ねて保持することができる。また、１つのハンガーを取り出すときにも、各ハンガーが３点で固定されているので、束ねられた形状が崩されることなく容易に取り出すことができる。
【０００８】
さらに、本発明の一態様に係るハンガーでは、前記根元吸着部、前記第１吸着部及び前記第２吸着部は、それぞれ、磁石を備えている。
【０００９】
吸着部に磁石を設けることによって、吸着部同士を容易に互いに脱着させることができる。
また、吸着部に磁石が設けられているので、洗濯機の側壁のような磁性体で形成された壁部に対してハンガーを吸着させて保持することができる。これにより、ハンガーを仮置きする際に散乱させることなく配置することができる。
【００１０】
さらに、本発明の一態様に係るハンガーでは、前記根元吸着部、前記第１吸着部及び前記第２吸着部は、それぞれ、可撓性を有するとともに中央に折り返し部を有する本体部と、前記本体部の両端に設けられ、前記折り返し部で折り返して該両端が重なったときに互いに吸着する前記磁石と、を備えている。
【００１１】
可撓性を有する本体部を折り返し部で折り返し、両端に設けられた磁石によって両端を固定する。これにより、折り返し部で折り返した本体部の内側で挟み込むことによってハンガー本体に対して吸着部を固定することができる。
例えば洗濯挟みのようなクリップ式の場合ではＶ字形状となり手で押圧する押圧部が広がって出っ張っているので複数のハンガーを重ねて収納するときに押圧部が干渉してしまい整然と収納することができない。これに対して、本発明の吸着部では、本体部を折り返すことによって用いることとしたので、洗濯挟みのようなＶ字形状とならず出っ張り部分を排除できるので空間効率良く重ねて収納することができる。
可撓性を有する材料としては、例えばシリコーンゴムやビニール等の樹脂を用いることができる。
【００１２】
さらに、本発明の一態様に係るハンガーでは、前記接続部には、該接続部の長手方向にわたって設けられた滑り防止部材が設けられている。
【００１３】
すべり防止部材を接続部の長手方向にわたって設けることで、接続部に設けた第１吸着部と第２吸着部とが互いに接近する方向にスライドする動作を妨げることができる。これにより、第１吸着部と第２吸着部との間隔を適切に保つことができる。
すべり防止部材としては、例えば、シリコーンゴム等のゴムが挙げられる。
【００１４】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能に磁石を備えているハンガーの使用方法であって、一の前記ハンガーと他の前記ハンガーを形状が重なるように対向させて、前記根元吸着部同士、前記第１吸着部同士及び前記第２吸着部同士の間で前記磁石の引力が生じるように配置する。
【００１５】
一のハンガーと他のハンガーとを形状が重なるように対向させて、各ハンガーの根元吸着部同士、第１吸着部同士及び第２吸着部同士の間で磁石の引力が生じるように配置することとした。これにより、各吸着部の３点で吸着することで位置が決まり、ハンガー同士が面内で位置決めされることになる。一方、仮に２点の吸着部でハンガーを互いに重ね合わせて設置すると、この２点を通る軸線を中心としてハンガーが互いに回転してしまい位置が定まらない。したがって、３点の吸着部を有することにより、ハンガーが互いに回転することなく安定的に位置決めした状態で束ねて保持することができる。
【００１６】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能に磁石を備えているハンガーの使用方法であって、一の前記ハンガーと他の前記ハンガーを形状が重なるように対向させて、前記根元吸着部同士、前記第１吸着部同士及び前記第２吸着部同士が互いに前記磁石の斥力が生じるように配置する。
【００１７】
一のハンガーと他のハンガーとを形状が重なるように対向させて、各ハンガーの根元吸着部同士、第１吸着部同士及び第２吸着部同士の間で磁石の斥力が生じるように配置することとした。これにより、各吸着部の３点で斥力が働き一定間隔で離間することになり、ハンガー同士を密着させずに配列することができる。例えば、ハンガー間に所定の間隔を空けて通気性を良くしたい場合に好適である。
【００１８】
本発明の一態様に係るハンガーの使用方法は、固定位置に係止可能とされたフック部を有するハンガー本体と、前記ハンガー本体に対して脱着可能とされた吸着部と、を備え、前記吸着部は、可撓性を有するとともに中央に折り返し部を有する本体部と、前記本体部の両端に設けられ、前記折り返し部で折り返して該両端が重なったときに吸着する磁石と、を備えているハンガーの使用方法であって、前記両端の間に衣類を挟んだ状態で前記磁石を吸着させる。
【００１９】
吸着部の両端の間に衣類を挟んだ状態で磁石を吸着させることで、衣類を挟み込んで固定することができる。すなわち、吸着部を洗濯挟みのように使用することができる。例えば、ハンガー本体に２つ以上の吸着部を略水平方向に間隔をおいて配置し、これら２つ以上の吸着部でズボンやスカートなどのボトムスの上端や下端を挟んで吊すことができる。
【００２０】
本発明の一態様に係るハンガーの使用方法は、固定位置に係止可能とされたフック部を有するハンガー本体と、前記ハンガー本体に対して脱着可能とされた吸着部と、を備え、前記吸着部は、可撓性を有するとともに中央に折り返し部を有する本体部と、前記本体部の両端に設けられ、前記折り返し部で折り返して該両端が重なったときに吸着する磁石と、を備えているハンガーの使用方法であって、前記フック部を磁性体とされた棒部材に係止し、前記棒部材と前記吸着部の前記折り返し部との間に前記フック部を位置させ、前記本体部を伸ばした状態で前記両端に設けられた前記磁石のそれぞれを前記棒部材に吸着させる。
【００２１】
棒部材と折り返し部との間にフック部を位置させた上で、吸着部の本体部を伸ばした状態で両端の磁石を棒部材に吸着させることとした。これにより、フック部は吸着部によって棒部材に対して固定されることになり、ハンガーが棒部材の長手方向に移動することを抑制することができる。
【発明の効果】
【００２２】
３点で各ハンガー同士を吸着させることで、複数のハンガーを安定的に束ねて保持することができ、また束ねた状態から容易に取り出すことができる。
【図面の簡単な説明】
【００２３】
【図１】本発明の一実施形態に係るハンガーを示した正面図である。
【図２】吸着バンドを取り外したハンガー本体を示した正面図である。
【図３】吸着バンドを示した平面図である。
【図４】吸着バンドを折り返し部で折り曲げた状態を示した側面図である。
【図５】複数のハンガーを束ねた状態を示した斜視図である。
【図６】図５の磁石の配列を示した側面図である。
【図７】複数のハンガーを離間して配置する場合の磁石の配列を示した側面図である。
【図８】ボトムスをかけるときの使用方法を示した正面図である。
【図９】吸着バンドをスライド防止部材として用いた状態を示した正面図である。
【発明を実施するための形態】
【００２４】
以下に、本発明に係る一実施形態について、図面を参照して説明する。
図１には、本実施形態のハンガー１が示されている。
ハンガー１は、ハンガー本体２と、３つの吸着バンド（吸着部）３とを備えている。
【００２５】
ハンガー本体２は、図２に示すように、上方にフック部５を備えている。フック部５は、上部が円弧状に形成されており、側方に開口５ａが形成されている。この開口５ａからハンガーポール等の棒部材を通し、所定の固定位置にフック部５を係止する。フック部５の下方に位置する根元部５ｂには、第１肩部６の一端と第２肩部７の一端が一体的に接続されている。
【００２６】
根元部５ｂは、幅方向に延在する横長形状とされた平面部５ｂ１を備えており、この平面部５ｂ１の上下のそれぞれに水平方向に延在する縁部５ｂ２が設けられている。なお、根元部５ｂは、第１肩部６と第２肩部７とが接続される形状とされていればよく、その形状は図２に限定されるものではない。
【００２７】
第１肩部６は、ハンガー本体２の幅方向の右下方に斜めに延在するように形成された棒形状とされている。第２肩部７は、ハンガー本体２の幅方向の左下方に斜めに延在するように形成された棒形状とされている。第１肩部６の幅方向における第１端部６ａと第２肩部７の幅方向における第２端部７ａとの間には、棒形状とれた接続部８が略水平方向に延在して設けられている。このように、第１肩部６、第２肩部７及び接続部８によって、正面視して略二等辺三角形の外形状が形成されている。
【００２８】
接続部８は、両端側に上方に突出する突起８ａを２つ備えている。なお、突起８ａは省略しても良い。
【００２９】
図１に示すように、接続部８は、その中央部を少なくとも覆うように長手方向にわたって滑り止め部材９が設けられている。具体的には、滑り止め部材９としてシリコーンゴムが接続部８に対して巻かれている。滑り止め部材９によって、吸着バンド３が接続部８の長手方向にスライドすることを抑制するようになっている。なお、滑り止め部材としては、シリコーンゴムに限定されるものではなく、吸着バンド３との摩擦力を増大させるものであれば良い。
【００３０】
ハンガー本体２は、樹脂製とされており、例えば射出成形によって一体的に成形することができる。
【００３１】
図１に示すように、フック部５の根元部５ｂには、根元吸着バンド３ａが着脱可能に取り付けられている。接続部８の第１端部６ａ側には、第１吸着バンド３ｂが設けられている。接続部８の第２端部７ａ側に設けられた第２吸着バンド３ｃが設けられている。
なお、以下の説明では、根元吸着バンド３ａ、第１吸着バンド３ｂ及び第２吸着バンド３ｃに共通する説明の場合には単に符号３を用いて吸着バンド３として説明することとする。
【００３２】
根元吸着バンド３ａ、第１吸着バンド３ｂ及び第２吸着バンド３ｃは、同一形状とされている。図３には、吸着バンド３の具体的な形状が示されている。同図では、吸着バンド３の両端を開いて展開した状態が示されている。
【００３３】
吸着バンド３は、その主たる外形状を構成する本体部１０と、本体部１０の両端のそれぞれに設けられた複数の磁石１１とを備えている。
【００３４】
本体部１０は、一定厚さの薄板状とされており、可撓性を有する材料で形成されている。可撓性を有する材料としては、例えば、シリコーンゴムやビニール等の樹脂を用いることができる。本体部１０は、同図のように平面視した場合に帯状の長細形状とされており、両端の縁部は丸みを帯びた形状とされている。本体部１０の中央は、中央に向かって徐々に幅寸法が小さくされたくびれ形状とされている。本体部１０の中央は、使用時に折り返される折り返し部１０ａとされている。なお、本体部１０の形状は同図に示した形状に限定されるものではなく、可撓性を有するものであれば良い。
【００３５】
磁石１１は、本体部１０の各端部にそれぞれ幅方向に間をあけて並べられて２個ずつ設けられている。なお、磁石１１の個数は、所定の吸着力が得られるのであれば個数は限定されない。例えば、本体部１０の各端部にそれぞれ１つの磁石１１を設けることとしても良い。
【００３６】
磁石１１は、本体部１０に対して接着や一体成形等によって固定されている。磁石１１は、永久磁石とされており、例えばネオジム磁石が用いられる。磁石１１は、図４に示すように、折り返し部１０ａで折り曲げられて両端に設けられた磁石１１同士が対向するように位置した場合に、磁石による引力が働くように極性が定められている。例えば、同図に示したように、一方の端部の磁石１１のＳ極と他方の端部の磁石のＮ極とが対向するように設けられている。
【００３７】
上述した吸着バンド３は、図１に示したように、ハンガー本体２の３ヶ所に磁石１１の引力を用いて取り付けられている。３つの吸着バンド３の位置は、ハンガー１を正面視した場合に、それぞれが３角形の頂点に位置するように設けられている。すなわち、３つの吸着バンド３が一直線上に設けられているわけではない。
【００３８】
次に、上述したハンガー１の使用方法について説明する。
［ハンガー１を重ねて保持］
複数のハンガー１を使用しないときに収納する際には、図５に示すように、複数のハンガー１を互いに接触した状態で束ねて保持する。具体的には、各ハンガー１を形状が重なるように対向させて、それぞれのハンガー１の根元吸着バンド３ａ同士、第１吸着バンド３ｂ同士及び第２吸着バンド３ｃ同士の間で磁石１１の引力が生じるように配置する。このように、各吸着バンド３ａ，３ｂ，３ｃの３点で吸着することで位置が決まり、ハンガー同士が面内で位置決めされるように各ハンガー１を束ねる。これにより、複数のハンガー１を整然と配置することができる。また、１つのハンガー１を取り出すときも、残りのハンガー１が束ねられた整列形状を崩すことなく容易に取り外すことができる。
【００３９】
従来のハンガーは、雑然と重ねられて収納されるので、１つのハンガーを取り出すときに他のハンガーも絡まって意図せずに他のハンガーも取り出されてしまうことがあった。これに対して、本実施形態のハンガー１は、整然と重ねて束ねられ、１つのハンガー１を他のハンガー１と絡ませずに取り出すことができる。すなわち、本実施形態のハンガー１は、絡まないハンガーである。
【００４０】
図６には、図５のように複数のハンガー１を束ねた状態で整列させるときの磁石１１の配置が示されている。同図に示すように、Ｓ極とＮ極とが交互になるように対向する吸着バンド３の磁石１１の向きを合わせて各ハンガー１を束ねるようにする。
【００４１】
［ハンガー１を離間して配置］
一方、例えばハンガーポール（棒部材）にハンガー１を係止した状態で、かつ所定の離間間隔を確保したい場合には、隣り合うハンガー１の吸着バンド３の磁石１１同士に斥力が生じるように配置する。すなわち、図７に示すように、隣り合うハンガー１の吸着バンド３の磁石１１について、同極（Ｓ極とＳ極またはＮ極とＮ極と）が向かい会うように配置する。これにより、ハンガー１間の間隔が所定値に維持され、各ハンガー１にかけた衣類に対して通気性を確保することができる。
【００４２】
［ボトムスのかけ方］
図８には、ズボンやスカート等のボトムス（衣類）をハンガー１にかけるときの使用方法が示されている。同図に示すように、ズボン１５の上端を吸着バンド３ａ，３ｂ，３ｃで挟み込んで固定する。すなわち、吸着バンド３の磁石１１の吸着力によってズボン１５を掴んで固定する。根元吸着バンド３ａは、根元部５ｂから取り外して接続部８の略中央位置に移動されている。これにより、３つの吸着バンド３ａ，３ｂ，３ｃでズボン１５を固定するようになっている。このように吸着バンド３を洗濯挟みのように使用することができる。このときに、滑り止め部材９によって吸着バンド３が水平方向にスライドしないので、ズボン１５を形状変化させることなく吊すことができる。
【００４３】
［ハンガーのスライド防止］
図９には、ハンガー１をハンガーポール（棒部材）１６に係止したときにスライドすることを防止する方法が示されている。ハンガーポール１６は、水平方向に延在しており、金属等の磁性体とされている。
【００４４】
同図に示すように、ハンガーポール１６と吸着バンド３の折り返し部１０ａ（図３参照）との間にフック部５を位置させる。そして、吸着バンド３の本体部１０を水平に伸ばした状態で両端に設けられた磁石１１のそれぞれをハンガーポール１６に吸着させる。これにより、フック部５が吸着バンド３によってハンガーポール１６に対して固定され、水平方向へのハンガー１のスライドが防止されるようになっている。特に屋外などのように風が吹き付けるような環境下で有効である。
【００４５】
スライド防止用の吸着バンド３として、根元吸着バンド３ａを用いることとした。根元吸着バンド３ａは、根元部５ｂから取り外して用いる。なお、ハンガー本体２に取り付けられている第１吸着バンド３ｂや第２吸着バンド３ｃを用いることとしても良い。
【００４６】
図９では、Ｔシャツ１７のような上着がかけられた状態が示されている。このような場合、第１吸着バンド３ｂを第１肩部６に取り付け、第２吸着バンド３ｃを第２肩部７に取り付けることによって、Ｔシャツ１７の肩部を固定するようにしても良い。このようにして吸着バンド３を洗濯挟みのように用いることができる。
【００４７】
以上の通り、本実施形態によれば以下の作用効果を奏する。
ハンガー１のフック部５の根元部５ｂと、接続部８の第１端部６ａ側と、接続部８の第２端部７ａ側との３ヶ所に吸着バンド３ａ，３ｂ，３ｃを設けることとした。これにより、複数のハンガー１を形状が重なるように対向させて収納するときに、各ハンガー１の根元吸着バンド３ａ同士、第１吸着バンド３ｂ同士及び第２吸着バンド３ｃ同士の位置が一致して３点で位置が決まり、ハンガー１同士が面内で位置決めされることになる。一方、仮に２点の吸着バンド３でハンガー１を互いに重ね合わせて設置すると、この２点を通る軸線を中心としてハンガーが互いに回転してしまい位置が定まらない。したがって、３点の吸着バンド３ａ，３ｂ，３ｃを有することにより、ハンガー１が互いに回転することなく安定的に位置決めした状態で収納することができる。また、１つのハンガー１を取り出すときにも、各ハンガー１が３点で固定されているので、束ねられた形状が崩されることなく容易に取り出すことができる。
【００４８】
吸着バンド３に磁石１１を設けることによって、吸着バンド３同士を容易に互いに脱着させることができる。
【００４９】
吸着バンド３に磁石１１が設けられているので、洗濯機の側壁のような磁性体で形成された壁部に対してハンガー１を吸着させて保持することができる。これにより、ハンガー１を仮置きする際に散乱させることなく配置することができる。
【００５０】
可撓性を有する吸着バンド３の本体部１０を折り返し部１０ａで折り返し、両端に設けられた磁石１１によって両端を固定する。これにより、折り返し部１０ａで折り返した本体部１０の内側で挟み込むことによってハンガー本体２に対して吸着バンド３を固定することができる。
【００５１】
例えば洗濯挟みのようなクリップ式の場合ではＶ字形状となり手で押圧する押圧部が広がって出っ張っているので複数のハンガーを重ねて収納するときに押圧部が干渉してしまい整然と収納することができない。これに対して、本実施形態の吸着バンド３では、薄厚の帯状とされた本体部１０を折り返し部１０ａで折り返すことによって用いることとしたので、洗濯挟みのようなＶ字形状とならず出っ張り部分を排除できるので空間効率良く重ねて収納することができる。
【００５２】
滑り止め部材９を接続部８の長手方向にわたって設けることで、接続部８に設けた第１吸着バンド３ｂと第２吸着バンド３ｃとが互いに接近する方向にスライドする動作を妨げることができる。これにより、第１吸着バンド３ｂと第２吸着バンド３ｃとの間隔を適切に保つことができる。
【００５３】
一のハンガー１と他のハンガー１とを形状が重なるように対向させて、各ハンガー１の根元吸着バンド３ａ同士、第１吸着バンド３ｂ同士及び第２吸着バンド３ｃ同士の間で磁石１１の斥力が生じるように配置することとした。これにより、各吸着バンド３の３点で斥力が働き一定間隔で離間することになり、ハンガー１同士を密着させずに配列することができる。例えば、ハンガー間に所定の間隔を空けて通気性を良くしたい場合に好適である。
【００５４】
吸着バンド３の両端の間に衣類を挟んだ状態で磁石１１を吸着させることで、衣類を挟み込んで固定することができる。すなわち、吸着バンド３を洗濯挟みのように使用することができる。
【００５５】
ハンガーポール１６と折り返し部１０ａとの間にフック部５を位置させた上で、吸着バンド３の本体部１０を伸ばした状態で両端の磁石１１をハンガーポール１６に吸着させることとした。これにより、フック部５は吸着バンド３によってハンガーポール１６に対して固定されることになり、ハンガー１がハンガーポール１６の長手方向に移動することを抑制することができる。
【００５６】
なお、上述した実施形態では、図２に示した形状のハンガー本体２に対して吸着バンド３を設けることとしたが、本発明は図２に示した形状のハンガー本体２に限定されるものではなく、フック部、第１肩部、第２肩部及び接続部があればどのような形状のハンガー本体にも取り付けることができる。
【符号の説明】
【００５７】
１  ハンガー
２  ハンガー本体
３  吸着バンド（吸着部）
３ａ  根元吸着バンド
３ｂ  第１吸着バンド
３ｃ  第２吸着バンド
５  フック部
５ａ  開口
５ｂ  根元部
５ｂ１  平面部
５ｂ２  縁部
６  第１肩部
６ａ  第１端部
７  第２肩部
７ａ  第２端部
８  接続部
９  滑り止め部材
１０  （吸着バンドの）本体部
１０ａ  折り返し部
１１  磁石
１５  ズボン
１６  ハンガーポール
１７  Ｔシャツ（衣類）
【図１】
2020171542.tif 000003
【図２】
2020171542.tif 000004
【図３】
2020171542.tif 000005
【図４】
2020171542.tif 000006
【図５】
2020171542.tif 000007
【図６】
2020171542.tif 000008
【図７】
2020171542.tif 000009
【図８】
2020171542.tif 000010
【図９】
2020171542.tif 000011
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能とされ、
前記根元吸着部、前記第１吸着部及び前記第２吸着部は、それぞれ、磁石を備え、
前記根元吸着部、前記第１吸着部及び前記第２吸着部は、それぞれ、
可撓性を有するとともに中央に折り返し部を有する本体部と、
前記本体部の両端に設けられ、前記折り返し部で折り返して該両端が重なったときに互いに吸着する前記磁石と、
を備え、
前記根元吸着部は、前記根元部を挟み込んだ状態で前記磁石が互いに吸着しているハンガー。
【請求項２】
前記接続部には、該接続部の長手方向にわたって設けられた滑り防止部材が設けられている請求項１に記載のハンガー。
【請求項３】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能に磁石を備えているハンガーの使用方法であって、
前記根元吸着部の前記磁石を、前記根元部を挟み込んだ状態で互いに吸着させ、
一の前記ハンガーと他の前記ハンガーを形状が重なるように対向させて、前記根元吸着部同士、前記第１吸着部同士及び前記第２吸着部同士の間で前記磁石の引力が生じるように配置するハンガーの使用方法。
【請求項４】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、互いに脱着可能に磁石を備えているハンガーの使用方法であって、
前記根元吸着部の前記磁石を、前記根元部を挟み込んだ状態で互いに吸着させ、
一の前記ハンガーと他の前記ハンガーを形状が重なるように対向させて、前記根元吸着部同士、前記第１吸着部同士及び前記第２吸着部同士が互いに前記磁石の斥力が生じるように配置するハンガーの使用方法。
【請求項５】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の前記幅方向における第１端部と前記第２肩部の前記幅方向における第２端部とを接続する接続部と、
前記根元部に設けられた根元吸着部と、
前記接続部の前記第１端部側に設けられた第１吸着部と、
前記接続部の前記第２端部側に設けられた第２吸着部と、
を備え、
前記根元吸着部、前記第１吸着部及び前記第２吸着部は、それぞれ、
可撓性を有するとともに中央に折り返し部を有する本体部と、
前記本体部の両端に設けられ、前記折り返し部で折り返して該両端が重なったときに吸着する磁石と、
を備えているハンガーの使用方法であって、
前記根元吸着部の前記磁石を、前記根元部を挟み込んだ状態で互いに吸着させ、
前記両端の間に衣類を挟んだ状態で前記第１吸着部と前記第２吸着部の前記磁石を吸着させるハンガーの使用方法。
【請求項６】
固定位置に係止可能とされたフック部を有するハンガー本体と、
前記ハンガー本体に対して脱着可能とされた吸着部と、
を備え、
前記吸着部は、
可撓性を有するとともに中央に折り返し部を有する本体部と、
前記本体部の両端に設けられ、前記折り返し部で折り返して該両端が重なったときに吸着する磁石と、
を備えているハンガーの使用方法であって、
前記フック部を磁性体とされた棒部材に係止し、
前記棒部材と前記吸着部の前記折り返し部との間に前記フック部を位置させ、前記本体部を伸ばした状態で前記両端に設けられた前記磁石のそれぞれを前記棒部材に吸着させるハンガーの使用方法。
【手続補正２】
【補正対象書類名】明細書
【補正対象項目名】０００６
【補正方法】変更
【補正の内容】
【０００６】
本発明の一態様に係るハンガーは、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能とされ、前記根元吸着部は、前記根元部を挟み込んだ状態で前記磁石が互いに吸着している。
【手続補正３】
【補正対象書類名】明細書
【補正対象項目名】００１４
【補正方法】変更
【補正の内容】
【００１４】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能に磁石を備えているハンガーの使用方法であって、前記根元吸着部の前記磁石を、前記根元部を挟み込んだ状態で互いに吸着させ、一の前記ハンガーと他の前記ハンガーを形状が重なるように対向させて、前記根元吸着部同士、前記第１吸着部同士及び前記第２吸着部同士の間で前記磁石の引力が生じるように配置する。
【手続補正４】
【補正対象書類名】明細書
【補正対象項目名】００１６
【補正方法】変更
【補正の内容】
【００１６】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、互いに脱着可能に磁石を備えているハンガーの使用方法であって、前記根元吸着部の前記磁石を、前記根元部を挟み込んだ状態で互いに吸着させ、一の前記ハンガーと他の前記ハンガーを形状が重なるように対向させて、前記根元吸着部同士、前記第１吸着部同士及び前記第２吸着部同士が互いに前記磁石の斥力が生じるように配置する。
【手続補正５】
【補正対象書類名】明細書
【補正対象項目名】００１８
【補正方法】変更
【補正の内容】
【００１８】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の前記幅方向における第１端部と前記第２肩部の前記幅方向における第２端部とを接続する接続部と、前記根元部に設けられた根元吸着部と、前記接続部の前記第１端部側に設けられた第１吸着部と、前記接続部の前記第２端部側に設けられた第２吸着部と、を備え、前記根元吸着部、前記第１吸着部及び前記第２吸着部は、それぞれ、可撓性を有するとともに中央に折り返し部を有する本体部と、前記本体部の両端に設けられ、前記折り返し部で折り返して該両端が重なったときに吸着する磁石と、を備えているハンガーの使用方法であって、前記根元吸着部の前記磁石を、前記根元部を挟み込んだ状態で互いに吸着させ、前記両端の間に衣類を挟んだ状態で前記第１吸着部と前記第２吸着部の前記磁石を吸着させる。